(57)【要約】  シール領域（２）を有する容器であって、該容器は蓋部（３）と、前記蓋部（３）に対して回転可能なシールキャップ（４）を備える。前記蓋部（３）及び前記シールキャップ（４）の両方は排出口（５）、（６）を有し、該排出口（５）、（６）は偏心であるが互いに正確に整列するものである。前記開口部が互いに向かい合って位置する場合、容器の排出が可能である。これは、前もって、前記排出口（５）を密閉するシール部材（８）が少なくとも部分的に除去された場合可能である。排出口（６）はシール部（１２）により取り囲まれるため、容器（１）の排出の間、蓋部（３）及びシールキャップ（４）の間に製品の粒子が到達することがない。シールキャップ（４）はシール部（１３）に取り囲まれる閉鎖領域（７）を有すると共に、前記容器が開いた状態になった時、前記蓋部の排出口を覆う。
2010507535.tif 000002
【特許請求の範囲】
【請求項１】
シール領域（２）を有する容器であって、該容器は、
前記容器に堅く接合される蓋部（３）と、
前記蓋部を横断すると共に前記蓋部（３）に対して保持されるシールキャップ（４）を備え、
前記蓋部（３）及び前記シールキャップ（４）の両方は、その夫々が、
正確に取り付けられることが可能な排出口（５）、（６）と、
前記排出口（５）に正確に取り付けられることが可能な閉鎖領域（７）を有する前記シールキャップ（４）を備え、
前記蓋部（３）内の前記排出口（５）はシール部材（８）により密閉され、前記シール部材（８）は、前記容器（１）の排出のために前記シール部材（８）を少なくとも部分的に開いた状態にすることが可能なことを特徴とする容器。
【請求項２】
前記容器に接続される前記蓋部（３）が円形であることを特徴とする請求項１記載の容器。
【請求項３】
前記シールキャップ（４）が回転可能な方法で保持されていることを特徴とする請求項１又は２記載の容器。
【請求項４】
前記シール領域（２）が前記蓋部全体を覆うシールキャップを備えることを特徴とする請求項１から３いずれか１項に記載の容器。
【請求項５】
前記蓋部（３）及び前記シールキャップ（４）の両方が、夫々中心を外した排出口（５）、（６）を備えることを特徴とする請求項１から４のいずれか１項に記載の容器。
【請求項６】
前記シールキャップ（４）が中心を外した閉鎖領域（７）を備えることを特徴とする請求項１から５いずれか１項に記載の容器。
【請求項７】
前記蓋部（３）の前記排出口（６）が、前記排出口（６）を取り囲むシール領域（１２）を伴うことを特徴とする請求項１から６いずれか１項に記載の容器。
【請求項８】
前記シールキャップ（４）の前記閉鎖領域（７）が、前記閉鎖領域（７）を取り囲むシール領域（１３）を伴うことを特徴とする請求項１から７いずれか１項に記載の容器。
【請求項９】
前記シール領域（１２）、（１３）がシール部を備えることを特徴とする請求項７又は８に記載の容器。
【請求項１０】
前記蓋部（３）及び前記シールキャップ（４）の間で動作する持上げ器（１９）、（２０）がもたらされ、前記持上げ器（１９）、（２０）は、前記シールキャップ（４）を回転させると同時に、前記蓋部（３）及び前記シールキャップ（４）の間のシール領域（１２）、（１３）、（９’’）の前記密閉効果を除去することを特徴とする請求項１から９いずれか１項に記載の容器。
【請求項１１】
前記シール部材（８）が弾性を有することを特徴とする請求項１から１０いずれか１項に記載の容器。
【請求項１２】
前記シール部材（８）は、前記容器（１）に対し先帽状の形で外側へ膨張すると共に、外側へ半径方向に突出する１以上のフランジ（９）、（９’）、（９’’）を備えることを特徴とする請求項１から１１いずれか１項に記載の容器。
【請求項１３】
ハンドル（１１）が前記シール部材（８）を開くためにもたらされることを特徴とする請求項１から１２いずれか１項に記載の容器。
【請求項１４】
前記ハンドル（１１）が前記シール部材（８）に堅く接合していることを特徴とする請求項１３記載の容器。
【請求項１５】
前記ハンドルが前記シールキャップ（４）内で一体となることを特徴とする請求項１３記載の容器。
【請求項１６】
前記ハンドルが前記シールキャップ（４）の成型部品として配されると共に、前記キャップ部を回転させる間に前記シール部材（８）と噛み合うようになることを特徴とする請求項１３記載の容器。
【請求項１７】
前記ハンドルが押し抜き道具（１８）として前記シールキャップ（４）内で移動可能に保持されることを特徴とする請求項１３記載の容器。
【請求項１８】
前記シール部材（８）が所定の限界点を有することを特徴とする請求項１から１７いずれか１項に記載の容器。
【請求項１９】
前記シール部材（８）がフランジ（９）を用いて前記蓋部（３）の内側に固定されることを特徴とする請求項１から１８いずれか１項に記載の容器。
【請求項２０】
前記シール部材（８）がフランジ（９）を用いて前記蓋部（３）の外側に固定されることを特徴とする請求項１から１９いずれか１項に記載の容器。
【請求項２１】
前期蓋部内の前記排出口（５）の境界領域が前記シール部材（８）の２つのフランジ（９）（９’）間で収容されることを特徴とする請求項１から２０いずれか１項に記載の容器。
【請求項２２】
前記２つのフランジ（９）、（９’’）の上側（９’’）が、前記シールキャップ（４）が閉じた状態において前記閉鎖領域（７）を取り囲むことを特徴とする請求項２１記載の容器。
【請求項２３】
前記シールキャップ（４）が前記閉鎖領域（７）内に凹部を有し、該凹部は前記シール部材（８）を少なくとも部分的に収容することを特徴とする請求項１から２２いずれか１項に記載の容器。
【請求項２４】
前記排出口（６）及び前記閉鎖領域（７）の両方を取り囲むシール部（１２）、（１３）が、前記シールキャップ（４）と共に一体的に配されることを特徴とする請求項１から２３いずれか１項に記載の容器。
【請求項２５】
前記排出口（６）及び前記閉鎖領域（７）の両方を取り囲む前記シール部（１２）、（１３）が前記シールキャップ（４）に固定されることを特徴とする請求項１から２４いずれか１項に記載の容器。
【請求項２６】
前記シール部（１２）、（１３）が前記シールキャップ（４）の凹部に部分的に埋め込まれることを特徴とする請求項１から２５いずれか１項に記載の容器。
【請求項２７】
前記シール部材（８）が開いた状態の時、前記蓋部（８）と接続されたままであることを特徴とする請求項１から２６いずれか１項に記載の容器。
【請求項２８】
前記シール部材（８）の開放後、プレテンションと共に前記容器（１）内へ突出することを特徴とする請求項１から２７いずれか１項に記載の容器。
【請求項２９】
前記シール部材（８）が、前記蓋部（３）に対して前記シールキャップ（４）が動作する間、グリッパが前記シールキャップ（４）にしっかりと嵌合するようになることを特徴とする請求項１から２８いずれか１項に記載の容器。
【請求項３０】
前記シール部材（８）が、開いた後に前記シールキャップ（４）に係止することを特徴とする請求項１から２９いずれか１項に記載の容器。
【請求項３１】
前記持上げ器（１９）、（２０）が、前記蓋部（３）或いは前記シールキャップ（４）に配される係止カム（１９）と、それぞれ対応する部分に配される係止凹部（２０）を備え、
前記係止カム（１９）と係止凹部（２０）はその幾何学的配置により、前記シールキャップ（４）の２つの位置を決定し、その一方の位置にある前記２つの排出口（５）、（６）及びもう一方の前記シールキャップ（４）の前記閉鎖領域（７）が、前記蓋部の前記排出口と一直線になっていることを特徴とする請求項１から３０いずれか１項に記載の容器。
【請求項３２】
第２の開口部（２２）が、第２のシール部材（１４）によって密閉される前記蓋内に配されることを特徴とする請求項１から３１いずれか１項に記載の容器。
【請求項３３】
前記蓋内の前記第２の開口部（２２）が前記排出口（５）と向かい合う領域に配されることを特徴とする請求項３２記載の容器。
【請求項３４】
前記シールキャップ（４）に突出部（１５）がもたらされ、前記突出部（１５）は前記シールキャップ（４）が開いた状態の時、前記第２のシール部材（１４）を貫通するとともに前記第２のシール部材（１４）を開くことを特徴とする請求項１から３３いずれか１項に記載の容器。
【請求項３５】
前記シールキャップ（４）がさらにシール領域を備え、前記シール領域は容器が閉じた状態の時前記第２のシール部材を密閉することを特徴とする請求項１から３４いずれか１項に記載の容器。
【請求項３６】
前記シールキャップ（４５）がブレード（５０）を備えることを特徴とする請求項１から３５いずれか１項に記載の容器。
【請求項３７】
前記ブレード（５０）が前記排出口（５１）に配されることを特徴とする請求項３６に記載の容器。
【請求項３８】
前記ブレード（５０）が前記シールキャップ（４５）のさらなる開口部（４９）内に配されることを特徴とする請求項１から３７いずれか１項に記載の容器。
【請求項３９】
前記さらなる開口部（４９）が好ましくは弧形状の楕円形の穴部であることを特徴とする請求項３８記載の容器。
【請求項４０】
前記シールキャップ（４）の前記閉鎖領域（７）が前記シール部を圧迫することを特徴とする請求項１から３９いずれか１項に記載の容器。
【請求項４１】
プレテンションを与えた前記シール部材（４３）の一部が、前記蓋部（４０）に対して前記シールキャップ（４５）が動作する間前記シールキャップ（４５）の開口部に突出することを特徴とする請求項１から４０いずれか１項に記載の容器。
【請求項４２】
前記プレテンションを与えた前記シール部材（４３）の一部が、前記蓋部（４０）に対して前記シールキャップ（４５）が動作する間、特に前記シールキャップ（４５）へと音を立てて移動することを特徴とする請求項１から４１いずれか１項に記載の容器。
【請求項４３】
前記シール部材（４３）が、前記ブレードの前記嵌合のための周辺脆弱部（４６）を備えることを特徴とする請求項１から４２記載の容器。
【請求項４４】
前記開いた状態のシール部材（４３）が、前記蓋部（４０）及び前記シールキャップ（４７）間でシール領域（４７）を形成することを特徴とする請求項１から４３いずれか１項に記載の容器。
【請求項４５】
前記シールキャップ（４７）が蓋部を有する開口部（４９）を備えることを特徴とする請求項１から４４いずれか１項に記載の容器。
【請求項４６】
前記シールキャップ（４５）内の前記シール部材（４３）及び前記排出口（５１）が、前記シール部材（４３）が前記排出口（５１）を貫通不可能な方法で配されることを特徴とする請求項１から４５いずれか１項に記載の容器。
【請求項４７】
前記シールキャップ（４５）が前記蓋部（４０）に対して一方向にのみ動作可能であることを特徴とする請求項１から４６いずれか１項に記載の容器。
【請求項４８】
前記排出口（５１）及び前記さらなる開口部（４９）間の距離が、前記シール部材（４３）の直径よりも小さいことを特徴とする請求項１から４７いずれか１項に記載の容器。
【請求項４９】
前記シールキャップ（４５）がエンボス加工された部分を情報のために供えることを特徴とする請求項１から４８いずれか１項に記載の容器。
【請求項５０】
前記シールキャップ（４７）が多成分系材料からできていることを特徴とする請求項１から４９いずれか１項に記載の容器。
【請求項５１】
前記シールキャップ（４）がプラスチックのインサート（６４）を有する金属フレーム（６３）を備えることを特徴とする請求項１から５０いずれか１項に記載の容器。
【請求項５２】
前記シール部材（４３）が前記シールキャップ近くに固定されるよう変形されることを特徴とする請求項１から５１いずれか１項に記載の容器。
【請求項５３】
前記シール部材（４３）が、前記シールキャップ（４５）に対し密閉するフレーム（４７）を備えることを特徴とする請求項１から５２いずれか１項に記載の容器。
【請求項５４】
前記シール部材（４３）が蛇腹を備えることを特徴とする請求項１から５３いずれか１項に記載の容器。
【請求項５５】
前記シール部材（４３）がフィルムヒンジを備えることを特徴とする請求項１から５４いずれか１項に記載の容器。
【請求項５６】
前記シールキャップが移動可能であることを特徴とする請求項１から５５いずれか１項に記載の容器。
【発明の詳細な説明】
【技術分野】
【０００１】
本発明はシール領域を有する容器に関し、該容器は、容器に堅く接合される蓋部と、該蓋部を横断すると共に蓋部に対して保持されるシールキャップを備え、蓋部及びシールキャップの両方は、その夫々が、正確に取り付けられることが可能な排出口と、排出口に正確に取り付けられることが可能な閉鎖領域を有するシールキャップを備える。
【背景技術】
【０００２】
この種の容器は特許文献１から周知のものである。この周知の容器、特に飲料の缶として説明されるものにおいて、缶を充填した後及びその蓋部を閉じた後、缶に充填された液体は、蓋部及びシールキャップの間に達する可能性がある。これは、蓋部の開口部がシールキャップを付す前に密閉されないためである。周知の容器のさらなる問題として、容器につめられた物質を洗剤又はごみで汚染することなしに、シールキャップを付する前に汚れた蓋部を洗浄することは事実上不可能である。また、最終消費者にわかりやすく特にいかなる追加の部品も必要としない不正開封防止密閉部の非常に困難な配置も問題である。このような容器は、注流可能又は流動可能な製品に特に適している。
【０００３】
【特許文献１】ドイツ出願番号第１９７０６１１２Ｃ２号
【発明の概要】
【発明が解決しようとする課題】
【０００４】
本発明は、容器を充填して蓋部を付し及びその後シールキャップを付した後、充填された製品が蓋部及びシールキャップの間に到達しないような容器の提供を目的とするものである。さらに本発明の目的は、容器の充填後すでに洗浄時に蓋部を確実に密閉すること、及び不正開封防止密閉部の製造である。
【課題を解決するための手段】
【０００５】
上述の種類の容器に基づき、この目的は本発明に従って以下のように達成される。すなわち、蓋部内の排出口はシール部材により密閉され、このシール部材は、容器の排出のためにシール部材を少なくとも部分的に開いた状態にする。
【０００６】
液体を充填する間に時々あることであるが、容器が過剰に充填されると、蓋部を密閉する間空気或いは気体を閉じ込めることを避けるため、液体は排出口を通過して蓋部に到達することができないことが、本発明に従ってこの本実施形態において確実になる。これは、排出口がシール部材により密閉されるためである。
【０００７】
シールキャップを付した後、蓋部及びシールキャップの間に液体が存在することはできない。したがって、衛生学に関連する全ての問題は回避される。注流可能な製品の場合、本発明はまた、蓋部及びシールキャップの間に製品の粒子が存在することはないという理由で、特に有益である。蓋部及びシールキャップの間に製品の粒子が存在すると、シールキャップの動作において障害がもたらされる可能性がある。
【０００８】
容器に接続される蓋部は任意の所望の形状であってよい。重要な面は、シールキャップが蓋部に対して動作可能であるように蓋部の形状が選択されることである。楕円形の容器の場合、シールキャップが蓋部に対し水平方向に移動する楕円形の蓋部が適切である。容器として用いられる非常に多数の丸型の缶を考慮して、容器に接続される蓋部は円形であると有益である。これにより、蓋部に対しシールキャップを回転させて排出口を露呈或いは密閉することが可能になる。
【０００９】
これは、さらなる発展においてシールキャップが回転可能に保持されることが提案されている理由である。
【００１０】
シールキャップはグリッパを用いて蓋部に固定されてもよい。このために、蓋部にあるシールキャップの機能を配するために個別の織物で十分である。しかし、シール領域が蓋部全体を覆うシールキャップを備える場合有益である。これにより、シールキャップの特別な安定性が確実になると共に、多様なシーリングキャップの機能を整えるためにシーリングキャップを配する多数の可能性が提供される。
【００１１】
蓋部及びシールキャップの両方それぞれが中心を外した排出口を備えることは、構造的な観点において、特に丸い蓋部の場合特に有益である。
【００１２】
蓋部の排出口はその排出口を取り囲むシール領域を伴う場合、より硬い材料をシールキャップ及び蓋部に用いると特に有益である。
【００１３】
シールキャップの前記閉鎖領域は、閉鎖領域を取り囲むシール領域を伴う場合有益である。このシール領域は蓋部及びシールキャップ両方に配されてもよい。シール領域は蓋部及びシールキャップの間にあってよく、或いは蓋部及び／又はシールキャップと一体となる形で配されてもよい。
【００１４】
シール領域はシール部を備える場合有益である。本発明におけるシール部は個別のシール部としてだけではなく、特別な密閉効果をもたらす蓋部或いはシールキャップの特別に配置された領域であるシール部として理解される。
【００１５】
シール領域が本発明の範囲内で言及される場合でさえも、蓋部全体或いはシールキャップ全体もまた所望の密閉を達成するためのシール特性を有する材料から作られてもよいことを除外しない。
【００１６】
特別な実施形態により、蓋部及びシールキャップの間で動作する持上げ器がもたらされ、この持上げ器は、シールキャップを回転させると同時に、蓋部及びシールキャップの間のシール領域の密閉効果を除去する。
【００１７】
シール部材は弾性を有する場合有益である。これにより、容器内の過剰な圧力の結果、或いはシールキャップ及び蓋部の接続においてプレテンションを与えた結果変形が可能となる。弾性を有するシールキャップは、シールキャップ内の開口部の下に到達すると、そのような開口部内に延出可能である。これは、シール部材を保持すること、或いはシール部材上でシールキャップと共に動作するのに役立つ。
【００１８】
蓋部内の排出口及びシール部材はその形状に関していかなる制限も略受けることはないが、シール部材は、本発明のさらなる展開において、容器に対し先帽状の形で外側へ膨張すると共に、外側へ半径方向に突出する１以上のフランジを備えることが有益となる。
【００１９】
外側へ膨張する構造は、例えばシール部材を開くためのハンドルがもたらされる場合、有益であることがわかる。ハンドルはシール部材に堅く接合している場合、或いはシールキャップ内で一体となる場合有益である。シールキャップを開いた位置へ回転させた後、外側へ膨張するキャップ部は、シールキャップ内の排出口を介して外側へ圧迫し、その排出口を介してシール部材を開けるためのハンドルは非常に簡単に握ることができる。
【００２０】
少なくとも一部分が開いた状態にシール部材を移動させることは、シール部材が所定の限界点を有する場合に促進される。所定の限界点はシール部材が部分的にのみ開くよう配されることも可能であり、或いは所定の限界点はまたシール部材を完全に開くことを可能にするようにしてもよい。
【００２１】
所定の限界点の存在はまた、ハンドルがシールキャップ内に一体化され、特にシールキャップの成型部品として配されると共に、キャップ部を回転させる間に前記シール部材と噛み合うようになる場合有益である。結果として、シール部材は少なくとも部分的にすでに開いた状態になる。この移動はシールキャップを回転させる間、特に所定の限界点に連動して行われる。
【００２２】
ハンドルもまた、押し抜き道具としてシールキャップ内で移動可能に保持されてもよい。シール部材を開ける場合、押し抜き道具はシールキャップを回転させた後、下方へ圧迫され開いた位置にくる必要がある。これを介し、シールキャップ材が、押し抜き道具のブレードの構造によって、部分的或いは完全のどちらかに切断される。
【００２３】
シール部材はフランジを用いて内側或いは外側へ固定されてもよい。
【００２４】
蓋部の排出口の境界領域がシール部材の２つのフランジ間で収容されることにより有益な実施形態を得ることもできる。この配置が有益な理由は次の通りである。すなわち、一方においては、シール部材は蓋部上で特に硬く配されることが可能であり、またもう一方では、この配置において、２つのフランジの上部がシールキャップの閉鎖領域のシール部としてシールキャップの閉鎖領域を取り囲むことが可能であるためである。このタイプのシール部の配置は、この場合においても、シール部及び蓋部間で密接に接続するという利点をもたらす。
【００２５】
シールキャップが閉鎖領域内に、シール部材の少なくとも一部分を収容する凹部を備える場合、シール部材が先帽状の形で外側へ膨張することは非常に有益である。この少なくとも部分的にシール部材がシールキャップの凹部に収容される位置において、シール部材はシールキャップを回転させる間、破壊して非常に簡単に開けることができる。
【００２６】
シールキャップはこのような材料から作られることができるので、両方のシールを、排出口と共に閉鎖領域をシールキャップと一体的に取り囲むように配することは有益である。
【００２７】
排出口と共に閉鎖領域を取り囲む両方のシール部もまた、シールキャップにしっかりと固定されていてもよい。この場合、シール部がシールキャップの凹部に部分的に埋め込まれることは特に有益である。
【００２８】
シール部材は切断された状態において、蓋と接続されたままであることが特に有益であ
る。これは、切断されたシール部分が容器の中身に排出されるためであって、このことは
飲料用缶において、飲料が直接缶から飲まれる場合特に不都合なことである。
【００２９】
本実施形態において、シール部材が切断された後にプレテンションと共に容器内へ突出することは有益である。そのため、容器の排出の間障害が起こることは不可能である。
【００３０】
蓋部に対してシールキャップが動作する間、シール部材がシールキャップにしっかり固定されるグリッパと嵌合するようになることが、代替的或いは追加的に提案される。これにより、シール部材の切断された或いは切断可能な部分はシールキャップ上に保たれるので、容器或いは周囲環境のいかなる場所へも落下することがない。グリッパは、シール部材或いはシール部材の少なくとも一部を切断前に掴むこと、切断中に保持すること、及び好ましくは切断後も保持することが可能である。
【００３１】
シール部材は開いた後、シールキャップに係止されている。このようにして、シール部材或いはシール部材の切断された一部分はシールキャップに、離脱できないように堅く掛かっている。
【００３２】
持上げ器は、蓋部或いはシールキャップに配される係止カムと、それぞれ対応する部分に配される係止凹部を備える。その幾何学的配置によりシールキャップの２つの位置を決定する係止カムと係止凹部を用い、その一方の位置にある２つの排出口、及びもう一方の前記シールキャップの閉鎖領域が、蓋部の排出口と一直線になっている。この配列により、蓋部に対しシールキャップが動作する間のシールキャップの必要な持上げだけでなく、シールキャップの２つの操作位置が同時に決定されることが確実になる。したがって、ある位置において容器は完全に開いており、また他の位置においては完全に閉じているということが確実になる。
【００３３】
容器の排出を促進するため、特に、液体が関係する場合、或いは排出過程を加速させる場合、さらなる実施形態において第２の開口部がもたらされ、この第２の開口部は第２の、好ましくは剛性を有するシール部材により密閉されている。この第２の開口部は排気口として、シール部材が破壊された場合に用いられる。
【００３４】
排気過程にとって、蓋部内の第２の開口部が、排出口と略向かい合う領域内に配されることは有益である。このようにして、容器の排出の間、空気は特に有益に流入することができる。
【００３５】
この第２の開口部のシール部材を開くために、突出部を有するシールキャップがもたらされることが有益である。この突出部はシールキャップが開いた位置にある時、第２のシール部材を貫通すると共に、シールキャップを開く。
【００３６】
シールキャップはさらなるシール領域を備え、このシール領域は閉鎖位置にある時、前記第２のシール部材を密閉する。第２のシール部材は、液体の排出の間、通常排出手段として用いられ、開かれた後に液体を流出させる。好ましくはシーリングとして配されるさらなるシール領域により、特に缶が閉じている場合、開いた第２のシール部材は密閉される。
【００３７】
シール部材を開くための様々な可能性が存在する。さらに、引き出し可能なハンドル或いは押し込み可能な穴開け器の上記の可能性に加え、シール部材を水平に切断する可能性もまた存在する。シールキャップがブレードを備えることは、この目的のために提案されるものである。
【００３８】
基本の実施形態はブレードが排出口内に配されることをもたらす。シール部材は排出口
へ侵入すると、ブレードに切り落とされる。その後、シールキャップは僅かに逆戻りし、
その結果、容器の中身が排出口を通過可能になる。
【００３９】
実際に容器を扱う場合、ブレードはシールキャップのさらなる開口部内に配されることが有益であることがわかっている。結果として、シール部の一部分を切り落とすこと及び容器の中身の排出の機能は別々になる。
【００４０】
基本の実施形態において、さらなる開口部は楕円形の穴部である。これにより、楕円形の穴部と一直線上にあるシール部材は開口部に侵入すると共に、蓋部に対するシールキャップの動作によりシール部材を開けることが可能となる。
【００４１】
ＣＯ２を含む飲料等の加圧流体が容器内に移される場合、数本の棒の圧力がしばしばかかる。シールキャップの閉鎖領域は、シールキャップの閉鎖位置においてシール部を圧迫する時、非安定的な方法で配されたシール部はこのような圧力に耐えることができる。
シールキャップに固定されたブレード及びシール部間の特に単純な連携は、次のように達成される。すなわち、蓋部に対しシールキャップが動作する間、プレテンションを与えたシール部の一部分がシールキャップの開口部に突出することにより連携は達成される。シール部がシールキャップの開口部内に貫通するまで、シール部はここで独特の変形によりプレテンションが与えられてもよく、或いはシール部に対するシールキャップの圧力によりプレテンション下にあってもよい。
【００４２】
蓋部に対してシールキャップが動作する間、プレテンションを与えたシール部の一部が、特にシールキャップの開口部へと音を立てて移動することが特に有益である。シール部は「ポン」という音をたてて開口部へ移動する。その後開口部中で、シール部は蓋部に対するシールキャップの動作によって切り離される。音の信号はまた、シール部がシールキャップ内の凹部へ移動することにより出され、このように、シールキャップに対する蓋部の特別な位置を、好ましくは音に聞こえる方法で示す。
【００４３】
所定の位置でシール部を切り離し易くするため、シール部材はブレードの嵌合のための周辺脆弱部を備えることが定められる。
【００４４】
開いた状態のシール部がシール領域を蓋部及びシールキャップ間で形成することは、さらに有益である。ただし、シール部の一部分を取り除いた後でさえも、シール部を開くための十分なシール材料が残っていることを、この点において注意しなければならない。これは、蓋部及びシールキャップ間を十分に密閉することを確実にするためである。
【００４５】
シール部の切断部分の紛失を避けるため、シールキャップは蓋部を有する開口部を備えてもよい。そして蓋部はシール部の少なくとも一部分を収容するための空洞を形成する。この蓋部はシールキャップと一体となるように配されてもよいし、或いは追加の部分と同様に接続されてもよい。ブレードを有する開口部は蓋部を備えるよう定められることが好ましい。特に容器内が高圧の場合、シールキャップ内の開口部と一直線上にあるシール部は、それ自身の力或いは制御されない方法で開いて液体が噴き出し、或いはシールの一部分は圧力によって加速されて押し出される。
【００４６】
特にシール部を切り離す特別な開口部がもたらされる場合、シール部及びシールキャップ内の排出口が、シール部が排出口を貫通不可能なように配されることは有益である。
【００４７】
シール部を開く機能及び容器を排出する機能が、蓋部に対してシールキャップを動作させることにより正しい配列でもたらされることを確実にするため、シールキャップが蓋部に対して一方向にのみ移動可能であることが提案される。
【００４８】
排出口及びさらなる開口部間の距離は、シール部の直径よりも小さい場合有益であることが実際面において見られる。これにより、シールキャップを蓋部上の任意の所望の位置に配置することが可能となる。
【００４９】
シールキャップが情報のためにエンボス加工された部分を備える場合、容器シール部上に広告や情報を載せるという特別の可能性を有する。
【００５０】
生産において、シールキャップが多成分系材料からできている場合有益である。これにより、シールキャップ及び蓋部を接続するための特に強い材料がもたらされることが可能になる。その一方で、材料のその他の性質はシール領域に必要とされる。
【００５１】
したがって有益な実施形態は、シールキャップはプラスチック製インサートを有する金属フレームを備えることをもたらす。
【００５２】
シール部材の弾性は、多数の実施形態にとって必要なものではない。しかしながら、シール部材はシールキャップの近くに固定するために変形可能である場合有益である。これにより、閉じた状態のシールキャップを用いてシール部材を支持することが可能となる。
【００５３】
シール部材がシールキャップに対して密閉するフレームを備えることは、この点において好ましくもたらされる。
【００５４】
シール部材は蛇腹を備える場合有益である。これにより、シール部材の一部分を簡単な方法で容器内へ押すことができる、或いは、例えば蛇口のようにシール部材の一部分を延出させることができる。
【００５５】
その他の実施形態はシール部材がフィルムヒンジを有することをもたらす。１つのフィルムヒンジ或いはいくつかのフィルムヒンジは、所定の屈曲点の供給を可能にする。この屈曲点を用い蛇腹は生産され、或いはこの屈曲点はシール部材を明らかに変形させることを可能にする。
【００５６】
本発明は丸型の缶を参照することにより以下に説明されるが、本発明の特徴はまた、用途によって、シールキャップが交換可能な容器に用いられてもよい。
【図面の簡単な説明】
【００５７】
【図１】シールキャップを有する蓋部の上面図であって、例えば飲料用缶として配される。
【図２】図１のＩＩ−ＩＩ線に沿った断面図である。
【図３】図２に係る断面図であるが、シールキャップが１８０度回転されている。
【図４】図１に係る上面図であって、蓋部及びシールキャップの位置は約３０度回転されている。
【図５】図４のＶ−Ｖ線に沿った断面図である。
【図６】図５に係る断面図であって、シールキャップが１８０度回転されている。
【図７】排出口の領域の断面の断面図であって、蓋部上に配置されたシーリングキャップ部の様々な回転位置を示す。
【図８】排出口の領域の断面の断面図であって、蓋部上に配置されたシーリングキャップ部の様々な回転位置を示す。
【図９】排出口の領域の断面の断面図であって、蓋部上に配置されたシーリングキャップ部の様々な回転位置を示す。
【図１０】排出口の領域の断面の断面図であって、蓋部上に配置されたシーリングキャップ部の様々な回転位置を示す。
【図１１】排出口の領域の断面の断面図であって、開口部のシール部材の異なる配置を示す。
【図１２】排出口の領域の断面の断面図であって、開口部のシール部材の異なる配置を示す。
【図１３】排出口の領域の断面の断面図であって、開口部のシール部材の異なる配置を示す。
【図１４】さらなる実施形態の断面の断面図である。
【図１５】さらなる実施形態の断面の断面図である。
【図１６】さらなる実施形態の断面の断面図である。
【図１７】シールキャップを有する蓋部の上面図である。
【図１８】シール部材上のシールキャップの嵌合の断面図である。
【図１９】シール部材上のシールキャップの嵌合の断面図である。
【図２０】缶の断面図である。
【図２１】シールキャップにブレードを有する缶の開口部を説明するための缶の上面図である。
【図２２】缶の断面図である。
【図２３】シールキャップにブレードを有する缶の開口部を説明するための缶の上面図である。
【図２４】缶の断面図である。
【図２５】シールキャップにブレードを有する缶の開口部を説明するための缶の上面図である。
【図２６】缶の断面図である。
【図２７】シールキャップにブレードを有する缶の開口部を説明するための缶の上面図である。
【図２８】缶の断面図である。
【図２９】シールキャップにブレードを有する缶の開口部を説明するための缶の上面図である。
【図３０】缶の断面図である。
【図３１】シールキャップにブレードを有する缶の開口部を説明するための缶の上面図である。
【図３２】缶の断面図であって、二分された蓋部及びその上に配されたシールキャップを示す。
【発明を実施するための形態】
【００５８】
これより本発明は図示される様々な実施形態を参照することにより、さらなる詳細が以下に説明される。
【００５９】
図１から図６を参照すると、容器（１）は例えば飲料用缶の形状であって、この容器（１）は、容器（１）内の全体として参照番号（２）で定められる閉鎖領域内に蓋部（３）を有すると共に、蓋部（３）に対し回転可能なシールキャップ（４）を有する。蓋部（３）は、中身を排出する中心を外れた排出口（５）を備える。シールキャップ（４）は、蓋部に対し回転可能であるが、本実施形態においては持ち上げることができない。またシールキャップ（４）は、中心を外れた排出口（６）を備える。この排出口（６）は、図３に係る回転位置において蓋部内の排出口（５）とぴったりはまるよう配置されるようになる。
【００６０】
シールキャップ（４）はまたさらに、中心を外れた閉鎖領域（７）を備える。この閉鎖領域（７）は、排出口（６）のように中心を外して配されると共に、図２に示す如く、蓋部内の排出口（５）とぴったりはまるよう配置される。
【００６１】
容器（１）を充填した後、蓋部（３）は、例えば容器（１）の上へ継ぎ合わせることにより固定される。この点において、容器に収容される液体に関する場合、わずか数パーセント過剰に容器を充填することが可能である。したがって、蓋部（４）の配置後、空気が閉じ込められることがない。シールキャップは蓋部（３）上に取り付けられる。非使用の状態で、シールキャップ（４）の閉鎖領域（７）は、図２に示す如く、蓋部内の排出口（５）とぴったりはまるよう配置される。
【００６２】
容器（１）に蓋部（３）を取り付ける場合、排出口（５）はシール部材（８）によって漏洩防止されて密閉される。このシール部材（８）は、図示される実施形態において外側へ膨張した先帽状の形であると共に、半径方向に外側へ突出するフランジ（９）を有する。このフランジ（９）はシール部材（８）を蓋部（４）の内部へ固定するのに用いられ、例えばこの固定は、きつく接着されることにより行われる。
【００６３】
非使用の状態で、シール部材（８）は、シールキャップ内で閉鎖領域（７）に配される凹部（１０）に到達する。シール部材はハンドル（１１）がもたらされる。このハンドル（１１）は、シールキャップ（４）を図７中の位置から図９中の位置へと回転させた後、シールキャップ（４）の排出口（６）から突出する。またハンドル（１１）は、図９に示す如く、所定の限界点（２１）においてシール部材（８）を切り離すことができる。
【００６４】
シール部材（８）を少なくとも部分的に除去した後、容器（１）の中身は排出される。図７から図１０において、図７は通常の状態、図８は中間位置、図９はシール部材（８）を切り離す前の端部位置、及び図１０は既に部分的に切り離されている状態を示す。
【００６５】
図１から図１２によると、シールキャップ（４）は単一の半径方向に突出するフランジを備える。このフランジは参照番号（９）で定められると共に、蓋部（３）の底部側へ固定されている。図１から図１２に係る全ての実施形態において、シールキャップ（４）内の排出口（６）周辺の領域及び閉鎖領域（７）は、シール部（１２）及び（１３）により取り囲まれる。これは、図１０に係る排出口が開いた状態において、容器から物質がシールキャップ（４）及び蓋部（３）の間に到達しないことを確実にするためである。
【００６６】
閉鎖領域（７）は再度密閉する間、蓋部の排出口（５）へ到達する。この状態においても、シール部（１３）はシールキャップ（４）及び蓋部（３）の間の間隙を密閉する。これにより、液体も他の物質の粒子も、シールキャップ（４）及び蓋部（３）の間に到達することはない。
【００６７】
図１１に係る実施形態において、先帽状のシール部材（８）のフランジ（９）は蓋部（３）の上側へ固定される。
【００６８】
図１２に係る実施形態は、先帽状のシール部材（８）が２つのフランジ（９）及び（９’）を備えるという点で、全ての前述の実施形態とは異なるものである。このフランジ（９）及び（９’）は、その間に蓋部（３）の開口端を収容する。
【００６９】
図１３に係る実施形態において、上部のフランジは（９’’）として定められると共に、大幅により幅広でより肉厚な構造がもたらされる。結果として、このフランジ（９’’）はシール部として用いることが可能であると共に、シールキャップ（４）内の排出口（６）を取り囲むシール部（１２）及び閉鎖領域（７）を取り囲むシール部（１３）の両方と代替可能である。
【００７０】
液体を排出する間、液体は比較的速く比較的小さい排出口（５）から流出可能であることを確実にするため、通気口（２２）がもたらされる。この通気口（２２）は、容器が開いた状態にない間、シール部材（１４）によって密閉される。通気口およびシール部材は特に図４及び図５に示される。
【００７１】
この通気口を開けるため、突出部（１５）がシールキャップ（４）上の底部側にもたらされる。このシールキャップ（４）は、閉鎖領域全体が閉じた状態において蓋部内の窪み（１６）に嵌合する。これは、この閉じた状態においてシールキャップが持ち上げられるのを防ぐためである。
【００７２】
図５は通気口（２２）がシール部材（１４）により密閉されている状態を示す。シール部材（１４）と反対側にあるシールキャップ（４）の領域は、シール部（１７）によって取り囲まれる。このシール部（１７）は、容器を再び密閉した後、通気口（２２）を密閉するのに用いられる。これにより、液体或いは物質の粒子も、通気口（２２）を介して蓋部（３）及びシールキャップ（４）の間に到達することができない。シールキャップ（４）を図５に係る位置から図６に係る位置へ回転させた場合、突出部（１５）はシール部材（１４）を貫通すると共に穴を開ける。
【００７３】
図１４から図１６はシール部材（８）の開口部の他の種類を可能とする変更実施形態を示す。図１４はシールキャップの閉鎖領域（７）がシール部材上にある状態を示す。図１５はシールキャップ（４）の排出口（６）の領域の断面図であり、シール部材（８）に穴を開ける押し抜き道具（１８）が配されている。この押し抜き道具（１８）は、図１６に示すように、シール部材（８）の先帽状領域の部分的な円周部を下方に押すことにより、穴を開けるものである。
【００７４】
この目的のため、押し抜き部材（１８）は円周部の部分領域を覆うようにブレード（２３）がもたらされる。一方で、他方の部分領域（２４）は尖っていない構造を有するので、図１６に示される如くシール部材を切断させない。シール部材の非切断部分は、切断部を容器の内側へプレテンションを用いて押すように配される。この状態は図１６に示される。
【００７５】
シール部材のこの配置の利点は、飲料用缶の場合、打ち抜かれた部分が落下せず、飲水過程を妨げることなく容器の内側へ突出することである。
【００７６】
シールキャップ（５）を回転させる間シール部が破壊されないことを確実にするため、持上げ器がもたらされる。持上げ器は係止カム（１９）をシールキャップの底側部上に備えると共に、係止凹部（２０）を蓋部の関連する領域内に備える。
【００７７】
これら２つの部分の幾何学的配置は、シールキャップ（４）が蓋部（３）に関連して回転を開始し、シール部（１２）及び（１３）が蓋部から解放されて持上げられることによりなされる。図１３に係る配置の場合、シールキャップはシール部として用いられるフランジ（９’’）から解放される。
【００７８】
シールキャップ（４）内の排出口（６）及びシールキャップ（４）内の閉鎖領域（７）は、互いにちょうど正反対の位置にあるので、係止カム（１９）を再び係止凹部（２０）に嵌合させるためシールキャップを１８０度回転させることが必要とされる。この位置で、蓋部（２）及びシールキャップの排出口（５）及び（６）は、互いに一直線上にある。その一方、１８０度回転された第２の位置において、閉鎖領域（７）は蓋部の開口部（５）上に位置する。図１から図４中の説明は、通気口（２２）が蓋部内の排出口（５）に対し実質的に反対側にあり、好ましい通気がもたらされることを示している。
【００７９】
図１７は排出口（５）を備えるシールキャップ（２）を示す。概略的な説明はさらに楕円形の穴部（２５）を示す。この楕円形の穴部（２５）は、その一方の端部に配されているブレード（２６）を有する。シール部材（２７）は、楕円形の穴部（２５）内に示され、楕円形の穴部（２５）内へ突出する。シール部材（２７）は蓋部（２８）上の二つのフランジに保持されており、一方でシール部材（２７）の先帽状の蓋部（２９）はシールキャップ（３０）の平面へ突出する。シールキャップ（３０）は、ブレード（２６）を楕円形の穴部（２５）の一端に備える。ブレードは、シールキャップ（３０）を蓋部（２８）に対して回転させることによりシール部材（２７）と嵌合するようになる。この目的のためシール部材（２７）は周辺脆弱部（３１）を有し、この脆弱部（３１）はキャップ（２９）をシール部材（２７）からブレード（２６）を用いて切断できるようにする。
【００８０】
シールキャップが蓋部に配されたシール部材と共に作用するさらなる実施形態は、図２０から３１に述べられる。
【００８１】
図２０は、偏心的に蓋部（４０）の開口部（４２）に取り付けられたシール部材（４３）を備える缶（４１）の蓋部（４０）を示す。シール部材（４３）はその形状によって、プレテンションが与えられる。これにより、キャップ（４４）が明らかに蓋部（４０）の位置より上方へ突出していることが確実になる。
【００８２】
図２２及び図２３は、シールキャップ（４５）を配置すると、シール部材（４３）の蓋部（４４）がどのように下に押されるかを示す。シール部材（４３）中の可塑性を有するフィルムヒンジ（４６）は、シール部材（４３）が缶の内部空間の内側へ押圧されることを可能にする。これにより、シール部材（４３）の蓋部（４４）は缶（４１）の蓋部（４０）上に直接位置する。シール部材（４３）は、まだ外側へ飛び出そうとする傾向を有し緊張した状態である。シール部材（４３）上の位置に配されたシールキャップ（４５）は開口部を有していないので、シールキャップ（４５）はシール部材（４３）が缶（４０）内の内部圧力を保持することを支持する。これは特に炭酸飲料用の缶に関連する。シール部材（４３）の上部フランジ（４７）は缶（４１）の蓋部（４０）及びシールキャップ（４５）の間でシール部として用いられる。
【００８３】
図２３はシールキャップ（４５）がどのようにシール部材（４３）を覆うかを示す図である。
【００８４】
図２４から図２７は、ブレード（５０）を有する楕円形穴部状の開口部（４９）をシール部材（４３）上で矢印（４８）の方向へ回転させることにより、シールキャップ（４５）がどのようにスライドするかを示す図である。シール部材（４３）が楕円形の開口部（４９）を完全に貫通可能になると、シール部材（４３）は「ポン」という音をたてて楕円形の開口部（４９）へ移動し、そしてブレード（５０）の作用平面に移動する。飲料用缶の使用者は、楕円形の開口部内のシール部（４３）が一体化されたことを聴覚的及び視覚的に認識することが可能である。
【００８５】
図２８から図２９は、ブレード（５０）がシール部材（４３）の蓋部（４４）をどのように切断するかを示す図である。
【００８６】
シールキャップ（４５）が缶（４１）の蓋部（４０）に対しさらに回転すると、キャップ（４４）は完全に切断され、楕円形の穴部（５１）は蓋部（４０）内の開口部（４２）を越えて回転する。結果として、排出口（５１）は缶の蓋部（４０）内の排出口（４２）上部の領域に到達する。これにより、缶の中身は排出口（４２）及び（５１）を通過して現れることができる。この位置においても、シール部材（４３）の上部フランジ（４７）は、缶（４１）の蓋部（４０）及びシールキャップ（５４）の間に密閉をもたらす。
【００８７】
缶密閉器（６０）の特別な実施形態が図３２に示される。二分された蓋部（６２）は缶（６１）へ取り付けられる。前記二分された蓋部（６２）は金属でできている環状部材（６３）から構成され、缶（６１）及びプラスチックでできている内側部分（６４）に継ぎ合わされると共にフランジを用いて固定される。シール部材（６５）はプラスチックでできた内側部分（６４）内に配され、シール部材がシールキャップ（６７）内の凹部（６６）と結合し、またシールキャップ（６７）を蓋部（６２）の方へ回転させると、シールキャップ（６７）は排出口（６８）に到達する。
【００８８】
本実施形態においても、シール部（６５）の開口部は、ハンドル或いはブレードを用いることにより存在することができる。
【図１】
2010507535.tif 000003
【図２】
2010507535.tif 000004
【図３】
2010507535.tif 000005
【図４】
2010507535.tif 000006
【図５】
2010507535.tif 000007
【図６】
2010507535.tif 000008
【図７】
2010507535.tif 000009
【図８】
2010507535.tif 000010
【図９】
2010507535.tif 000011
【図１０】
2010507535.tif 000012
【図１１】
2010507535.tif 000013
【図１２】
2010507535.tif 000014
【図１３】
2010507535.tif 000015
【図１４】
2010507535.tif 000016
【図１５】
2010507535.tif 000017
【図１６】
2010507535.tif 000018
【図１７】
2010507535.tif 000019
【図１８】
2010507535.tif 000020
【図１９】
2010507535.tif 000021
【図２０】
2010507535.tif 000022
【図２１】
2010507535.tif 000023
【図２２】
2010507535.tif 000024
【図２３】
2010507535.tif 000025
【図２４】
2010507535.tif 000026
【図２５】
2010507535.tif 000027
【図２６】
2010507535.tif 000028
【図２７】
2010507535.tif 000029
【図２８】
2010507535.tif 000030
【図２９】
2010507535.tif 000031
【図３０】
2010507535.tif 000032
【図３１】
2010507535.tif 000033
【図３２】
2010507535.tif 000034
【国際調査報告】
2010507535.tif 000035
2010507535.tif 000036
2010507535.tif 000037
2010507535.tif 000038
2010507535.tif 000039
2010507535.tif 000040
2010507535.tif 000041
2010507535.tif 000042